(57)【要約】【課題】電子機器でのジェスチャ認識に基づいて、携帯端末のタッチパネル上の操作を行うことができる「電子機器およびこれに接続された携帯端末のジェスチャ認識操作方法」を提供する。【解決手段】ジェスチャ入力項目を所定の座標情報に変換するための変換テーブル情報を格納した変換テーブル記憶部１３と、ジェスチャ認識部１５により認識されたユーザジェスチャがジェスチャ入力項目に該当すると入力項目判定部１６により判定された場合、変換テーブル情報を用いてジェスチャ入力項目から所定の座標情報を生成して携帯端末２０に送信する制御部１７とを備え、車載機１０において認識されたユーザジェスチャを所定の座標情報に変換して携帯端末２０に送信することにより、携帯端末２０のタッチパネル上でその座標情報に対応する位置が操作されたのと同様の処理を行うことができるようにする。【選択図】図１
2015041244.tif 000002
【特許請求の範囲】
【請求項１】
タッチパネル付きの携帯端末で生成された画像データを受信して画像表示するとともに、上記携帯端末の操作を行うことができるようになされた電子機器であって、
ジェスチャ入力項目を所定の座標点または座標列に変換するための変換テーブル情報を格納した変換テーブル記憶部と、
ユーザの撮影画像を入力する撮影画像入力部と、
上記撮影画像入力部により入力された撮影画像から上記ユーザにより行われたジェスチャであるユーザジェスチャを認識するジェスチャ認識部と、
上記ジェスチャ認識部により認識されたユーザジェスチャが上記ジェスチャ入力項目に該当するか否かを判定する入力項目判定部と、
上記ジェスチャ認識部により認識されたユーザジェスチャが上記ジェスチャ入力項目に該当すると上記入力項目判定部により判定された場合、上記変換テーブル情報を用いて上記ジェスチャ入力項目から上記所定の座標点または座標列を生成して上記携帯端末に送信する制御部とを備えたことを特徴とする電子機器。
【請求項２】
上記ジェスチャ認識部は、上記ユーザジェスチャの内容に加えて、上記ユーザジェスチャが行われた時間を認識し、
上記制御部は、上記ジェスチャ認識部により認識されたユーザジェスチャが上記ジェスチャ入力項目に該当すると上記入力項目判定部により判定された場合、上記変換テーブル情報を用いて上記ジェスチャ入力項目から上記所定の座標点または座標列を生成し、上記ジェスチャ認識部により認識された時間に応じた速度で上記座標点または座標列を上記携帯端末に送信することを特徴とする請求項１に記載の電子機器。
【請求項３】
上記ジェスチャ認識部は、上記ユーザジェスチャの内容に加えて、上記ユーザジェスチャによって上記ユーザの指が指示している上記電子機器のディスプレイ上の位置を認識し、
上記制御部は、上記ジェスチャ認識部により認識されたユーザジェスチャが上記ジェスチャ入力項目に該当すると上記入力項目判定部により判定された場合、上記ジェスチャ認識部により認識された位置を始点として、上記変換テーブル情報を用いて上記ジェスチャ入力項目から上記所定の座標点または座標列を生成して上記携帯端末に送信する制御部とを備えたことを特徴とする請求項１に記載の電子機器。
【請求項４】
上記ジェスチャ入力項目は、画像のスクロール、拡大・縮小、回転の少なくともいずれかに関するジェスチャ入力項目を含むことを特徴とする請求項１に記載の電子機器。
【請求項５】
タッチパネル付きの携帯端末に画面表示された画像を電子機器に表示させるようになされたシステムにおいて、上記電子機器からジェスチャ認識を利用して上記携帯端末の操作を行うためのジェスチャ認識操作方法であって、
上記電子機器の撮影画像入力部が、ユーザの撮影画像を入力する第１のステップと、
上記電子機器のジェスチャ認識部が、上記撮影画像入力部により入力された撮影画像から上記ユーザにより行われたジェスチャであるユーザジェスチャを認識する第２のステップと、
上記電子機器の入力項目判定部が、上記ジェスチャ認識部により認識されたユーザジェスチャが所定のジェスチャ入力項目に該当するか否かを判定する第３のステップと、
上記電子機器の制御部が、上記ジェスチャ認識部により認識されたユーザジェスチャが上記ジェスチャ入力項目に該当すると上記入力項目判定部により判定された場合、上記ジェスチャ入力項目を所定の座標点または座標列に変換するための変換テーブル情報を用いて上記ジェスチャ入力項目から上記所定の座標点または座標列を生成して上記携帯端末に送信する第４のステップとを有することを特徴とする、電子機器に接続された携帯端末のジェスチャ認識操作方法。
【請求項６】
タッチパネル付きの携帯端末に画面表示された画像を車載機に表示させて上記車載機から上記携帯端末の操作を行うことができるようになされた車載システムであって、
上記車載機は、
ジェスチャ入力項目を所定の座標点または座標列に変換するための変換テーブル情報を格納した変換テーブル記憶部と、
ユーザの撮影画像を入力する撮影画像入力部と、
上記撮影画像入力部により入力された撮影画像から上記ユーザにより行われたジェスチャであるユーザジェスチャを認識するジェスチャ認識部と、
上記ジェスチャ認識部により認識されたユーザジェスチャが上記ジェスチャ入力項目に該当するか否かを判定する入力項目判定部と、
上記ジェスチャ認識部により認識されたユーザジェスチャが上記ジェスチャ入力項目に該当すると上記入力項目判定部により判定された場合、上記変換テーブル情報を用いて上記ジェスチャ入力項目から上記所定の座標点または座標列を生成して上記携帯端末に送信する制御部とを備え、
上記携帯端末は、上記制御部により上記車載機から送られてきた座標列をもとに、上記タッチパネル上で上記座標列に対応する位置がなぞり操作されたのと同様の処理を行うことを特徴とする車載システム。
【発明の詳細な説明】
【技術分野】
【０００１】
本発明は、電子機器およびこれに接続された携帯端末のジェスチャ認識操作方法、車載システムに関し、特に、携帯端末に画面表示された画像を電子機器に表示させて電子機器から携帯端末の操作を行うことができるようになされたシステムに適用して好適なものである。
【背景技術】
【０００２】
近年、スマートフォンのような携帯端末と車載機とを連携させるミラーリンク（登録商標：以下同様）と呼ばれる技術が提供されている。ミラーリンクは、携帯端末に表示された画像を車載機のディスプレイに鏡のようにそのまま映すという仕組みで、車載機のディスプレイに表示された画像を通じて携帯端末の操作を行うことができるようになされている。これにより、携帯端末にインストールしたミラーリンク対応のアプリケーション（以下、携帯アプリという）を車載機のディスプレイ上で操作できるようになる。
【０００３】
例えば、図４に示すように、地図アプリがインストールされた携帯端末１０１から、携帯端末１０１にて表示中の地図画像を車載機１０２に送信し、車載機１０２のディスプレイに携帯端末１０１と同じ地図画像を表示させることが可能である。また、車載機１０２のタッチパネルに対するタッチ位置を表す位置情報（座標情報）を車載機１０２から携帯端末１０１に送信し、携帯端末１０１がこの位置情報をもとに、携帯端末１０１のタッチパネル上で車載機１０２と同じ位置がタッチ操作されたのと同様の処理（地図のスクロール、拡大／縮小、回転など）を行うことも可能である。
【０００４】
このように、ミラーリンクでは、携帯アプリを車載機のディスプレイ上で操作できるようにするために、車載機のタッチパネルに対するタッチ位置を座標情報として車載機から携帯端末に送信する構成となっている。そのため、車載機側においてユーザにより行われた空間上のジェスチャを認識して得られるコマンドに基づいて携帯アプリを操作するための情報を携帯端末に送信することができない。よって、車載機でのジェスチャ認識を用いて携帯アプリの操作を行うためには、携帯アプリ自体をジェスチャ認識対応にし、かつ、ミラーリンクではない他の通信制御を使用する必要があった。
【０００５】
なお、シングルタッチにのみ対応したタッチパネル付き車載装置でマルチタッチ対応のタッチパネル付き携帯電話を操作する際に、車載装置側でマルチタッチジェスチャの種別（例えば、２本指を使ったタップ操作や、２本指の間隔を広げたり縮めたりするピンチ操作など）を選択した後、シングルタッチで疑似的な操作を行うことにより、選択されたジェスチャ操作の入力操作信号を携帯電話に送信するようにした技術が提案されている（例えば、特許文献１参照）。
【先行技術文献】
【特許文献】
【０００６】
【特許文献１】特開２０１２−８９６８号公報
【発明の概要】
【発明が解決しようとする課題】
【０００７】
しかしながら、上記特許文献１に記載の技術では、シングルタッチジェスチャの疑似的な操作によってマルチタッチジェスチャの入力操作信号を生成することができるのみである。そのため、携帯端末から車載機に送信されて表示された画像について、タッチパネルから離れた空間上で行われるジェスチャを認識して携帯端末の操作を行うことはできないという問題があった。
【０００８】
本発明は、このような問題を解決するために成されたものであり、携帯端末に画面表示された画像を電子機器に表示させて電子機器から携帯端末の操作を行うことができるようになされたシステムにおいて、電子機器での空間上のジェスチャ認識に基づいて、携帯端末のタッチパネル上での操作を行うことができるようにすることを目的とする。
【課題を解決するための手段】
【０００９】
上記した課題を解決するために、本発明では、タッチパネル付きの携帯端末で生成された画像データを受信して画像表示するとともに、携帯端末の操作を行うことができるようになされた電子機器が、ジェスチャ入力項目を所定の座標点または座標列に変換するための変換テーブル情報を格納した変換テーブル記憶部を備え、ジェスチャ認識部により認識されたユーザジェスチャがジェスチャ入力項目に該当する場合、変換テーブル情報を用いてジェスチャ入力項目から所定の座標点または座標列を生成して携帯端末に送信するようにしている。
【発明の効果】
【００１０】
上記のように構成した本発明によれば、電子機器において認識されたユーザジェスチャがジェスチャ入力項目に該当する場合、そのジェスチャ入力項目が所定の座標点または座標列に変換されて携帯端末に送信されるので、携帯端末ではその座標点または座標列をもとに、携帯端末のタッチパネル上でその座標点または座標列に対応する位置が操作されたのと同様の処理を行うことが可能となる。これにより、電子機器でのジェスチャ認識に基づいて携帯端末のタッチパネル上での操作を行うことができる。
【図面の簡単な説明】
【００１１】
【図１】本発明の電子機器の一実施形態に係る車載機の機能構成例を示すブロック図である。
【図２】本実施形態による変換テーブル記憶部に格納される変換テーブル情報の一例を示す図である。
【図３】本実施形態による車載機の動作例を示すフローチャートである。
【図４】ミラーリンクで連携された車載機と携帯端末の動作を説明するための図である。
【発明を実施するための形態】
【００１２】
以下、本発明の一実施形態を図面に基づいて説明する。図１は、本発明の電子機器の一実施形態に係る車載機の機能構成例を示すブロック図である。本実施形態の車載機１０は、タッチパネル付きの携帯端末２０とミラーリンクで連携する。そして、携帯端末２０で生成された画像データを受信して画像表示するとともに、携帯端末２０にインストールされているアプリケーション（本実施形態では、地図アプリ）の操作（地図のスクロール、拡大／縮小、回転）を車載機１０から行うことができるようになされている。
【００１３】
図１に示すように、本実施形態の車載機１０は、その機能構成として、画像データ受信部１１、画像表示制御部１２、変換テーブル記憶部１３、撮影画像入力部１４、ジェスチャ認識部１５、入力項目判定部１６および制御部１７を備えている。ここで、車載機１０には、タッチパネル付きディスプレイ３０（以下、単にディスプレイ３０とも記す）およびカメラ４０が接続され、あるいは、一体として構成されている。
【００１４】
上記各機能ブロック１１〜１２，１４〜１７は、ハードウェア、ＤＳＰ（Digital Signal Processor）、ソフトウェアの何れによっても構成することが可能である。例えばソフトウェアによって構成する場合、上記各機能ブロック１１〜１２，１４〜１７は、実際には車載機１０が備えるコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１５】
画像データ受信部１１は、携帯端末２０のタッチパネル付きディスプレイ２１（以下、単にディスプレイ２１とも記す）に表示中の地図画像に係る画像データを携帯端末２０から受信する。画像表示制御部１２は、画像データ受信部１１により受信された画像データに基づいて、地図画像をディスプレイ３０に表示させる。
【００１６】
なお、携帯端末２０のディスプレイ２１は縦長型であり、車載機１０に接続されたディスプレイ３０は横長型である。携帯端末２０は、車載機１０とミラーリンク接続されたとき、ディスプレイ２１に表示中の縦長型の地図画像を車載機１０のディスプレイ３０に表示すべき横長型の地図画像へと変換して自身のディスプレイ２１の表示を横長型の地図画像に変更した上で、変換後の画像データを車載機１０に送信する。車載機１０の画像データ受信部１１は、この画像データを受信する。
【００１７】
画像データ受信部１１によって携帯端末２０から画像データが受信され、画像表示制御部１２によってその画像データに基づいて地図画像がディスプレイ３０に表示されると、ディスプレイ３０上で地図画像が表示された位置を示す座標情報（例えば、ディスプレイ３０の四隅の座標情報）が車載機１０から携帯端末２０に返される。携帯端末２０では、車載機１０から返されてきたディスプレイ３０の四隅の座標情報と、ディスプレイ２１の四隅の座標情報とを対応付けて記憶する（以下、この記憶する情報を「座標関連付け情報」という）。
【００１８】
これにより、車載機１０のタッチパネルに対するタッチ位置を表す座標情報を車載機１０から携帯端末２０に送信し、携帯端末２０がこの座標情報を座標関連付け情報に基づいて携帯端末２０のタッチパネル上の座標情報に変換することにより、携帯端末２０のタッチパネル上で車載機１０と同じ位置がタッチ操作されたのと同様の処理を行うことが可能な状態となる。
【００１９】
変換テーブル記憶部１３は、ジェスチャ認識の対象としたい複数のジェスチャ入力項目をそれぞれタッチパネル付きディスプレイ３０のタッチパネル上における座標点または座標列（以下、これらをまとめて座標情報という）に変換するための変換テーブル情報をあらかじめ格納している。本実施形態において、ジェスチャ入力項目は、地図画像のスクロール、拡大・縮小、回転の少なくともいずれかに関するものを含む。
【００２０】
例えば、変換テーブル記憶部１３には、地図画像のスクロールに関して、「右スクロール」、「左スクロール」、「上スクロール」、「下スクロール」に関するジェスチャ入力項目をそれぞれ所定の座標列に変換するための情報が格納されている。ここで、「右スクロール」に関するジェスチャ入力項目は、空間上で手を右から左へと移動させる動作を示すものであり、その動作を示す「手を右から左へと移動させる動作」というコマンド情報が格納されている。また、このジェスチャ入力項目に対応して、「右スクロール」に関する座標列の情報が格納されている。
【００２１】
同様に、「左スクロール」、「上スクロール」、「下スクロール」に関するジェスチャ入力項目はそれぞれ、空間上で手を左から右へと移動させる動作、空間上で手を上から下へと移動させる動作、空間上で手を下から上へと移動させる動作を示すものであり、それぞれの動作を示すコマンド情報が格納されている。また、これらのジェスチャ入力項目に対応して、「左スクロール」、「上スクロール」、「下スクロール」に関する座標列の情報がそれぞれ格納されている。
【００２２】
また、変換テーブル記憶部１３には、地図画像の拡大・縮小に関して、「拡大」、「縮小」に関するジェスチャ入力項目をそれぞれ所定の座標列に変換するための情報が格納されている。ここで、「拡大」に関するジェスチャ入力項目は、空間上で２本指の間隔を広げる動作を示すものであり、その動作を示すコマンド情報が格納されている。同様に、「縮小」に関するジェスチャ入力項目は、空間上で２本指の間隔を縮める動作を示すものであり、その動作を示すコマンド情報が格納されている。また、これらのジェスチャ入力項目に対応して、「拡大」、「縮小」に関する座標列の情報がそれぞれ格納されている。
【００２３】
さらに、変換テーブル記憶部１３には、地図画像の回転に関して、「右回転」、「左回転」に関するジェスチャ入力項目をそれぞれ所定の座標列に変換するための情報が格納されている。ここで、「右回転」に関するジェスチャ入力項目は、空間上で手を右回転させる動作を示すものであり、その動作を示すコマンド情報が格納されている。同様に、「左回転」に関するジェスチャ入力項目は、空間上で手を左回転させる動作を示すものであり、その動作を示すコマンド情報が格納されている。また、これらのジェスチャ入力項目に対応して、「右回転」、「左回転」に関する座標列の情報がそれぞれ格納されている。
【００２４】
図２は、一例として「右スクロール」および「拡大」のジェスチャ入力項目をそれぞれ所定の座標列に変換するための変換テーブル情報を示す図である。図２に示すように、変換テーブル記憶部１３には、「右スクロール」のジェスチャ入力項目に対応して、タッチパネル上の所定の開始位置から終了位置まで、右から左方向へと所定の長さだけ１本の指でフリック操作をした場合に得られる座標列が格納されている。また、「拡大」のジェスチャ入力項目に対応して、タッチパネル上の所定の開始位置（例えば、タッチパネルの中央点）を中心として、２本の指を使ってその間隔を押し広げるピンチ操作をした場合に得られる座標列が格納されている。
【００２５】
撮影画像入力部１４は、ユーザの指の撮影画像をカメラ４０より入力する。カメラ４０は、例えば、車載機１０またはその近傍に設定されており、車載機１０の前方の所定範囲を撮影する。ジェスチャ認識部１５は、撮影画像入力部１４により入力された撮影画像から、ユーザによって空間上で行われた指によるジェスチャ（以下、ユーザジェスチャという）を認識する。そして、認識したジェスチャを表わすコマンド情報を出力する。
【００２６】
入力項目判定部１６は、変換テーブル記憶部１３に格納されている変換テーブル情報を参照して、ジェスチャ認識部１５により認識されたユーザジェスチャがジェスチャ入力項目に該当するか否かを判定する。すなわち、入力項目判定部１６は、ジェスチャ認識部１５より出力されるユーザジェスチャに関するコマンド情報が、変換テーブル記憶部１３にジェスチャ入力項目のコマンド情報として格納されているか否かを判定する。
【００２７】
制御部１７は、ジェスチャ認識部１５により認識されたユーザジェスチャがジェスチャ入力項目に該当すると入力項目判定部１６により判定された場合、変換テーブル記憶部１３に格納されている変換テーブル情報を用いて、ジェスチャ入力項目から所定の座標情報を生成して携帯端末２０に送信する。
【００２８】
携帯端末２０では、制御部１７により車載機１０から送られてきた座標情報をもとに、携帯端末２０のタッチパネル上でその座標情報に対応する位置が操作されたのと同様の処理を行う。すなわち、携帯端末２０では、上述した座標関連付け情報を用いて、車載機１０から送られてきた座標情報（タッチパネル付きディスプレイ３０におけるタッチパネル上での疑似的な操作座標情報）を、携帯端末２０のタッチパネル上での疑似的な操作座標情報に変換し、変換後の座標情報に対応する位置が操作されたのと同様の処理を行う。
【００２９】
図３は、上記のように構成した本実施形態による車載機１０の動作例を示すフローチャートである。なお、図３に示すフローチャートの処理は、車載機１０と携帯端末２０とを接続してミラーリンクで連携させたときに開始する。まず、画像データ受信部１１は、携帯端末２０のディスプレイ２１に表示中の地図画像に係る画像データを携帯端末２０から受信する（ステップＳ１）。そして、画像表示制御部１２は、画像データ受信部１１により受信された画像データに基づいて、地図画像をディスプレイ３０に表示させる（ステップＳ２）。その後、車載機１０は、地図画像が表示されたディスプレイ３０の四隅の座標情報を携帯端末２０に返信する（ステップＳ３）。
【００３０】
次に、撮影画像入力部１４は、ユーザの撮影画像がカメラ４０より入力されたか否かを判定する（ステップＳ４）。撮影画像が入力されていない場合、車載機１０は、携帯端末２０とのミラーリンクによる連携が終了したか否かを判定し（ステップＳ５）、連携が終了した場合は図３に示すフローチャートの処理を終了する。連携が終了していなければ、処理はステップＳ１に戻る。これにより、携帯端末２０において地図画像が更新されるのに合わせて、車載機１０においても地図画像が随時更新して表示される。
【００３１】
一方、撮影画像入力部１４により撮影画像が入力された場合、ジェスチャ認識部１５は、撮影画像入力部１４により入力された撮影画像からユーザジェスチャを認識する（ステップＳ６）。次いで、入力項目判定部１６は、ジェスチャ認識部１５により認識されたユーザジェスチャが所定のジェスチャ入力項目に該当するか否かを判定する（ステップＳ７）。ここで、ジェスチャ認識部１５により認識されたユーザジェスチャが所定のジェスチャ入力項目に該当しないと判定された場合、入力項目判定部１６は、ユーザジェスチャがジェスチャ入力項目に該当しない旨をユーザに知らせるエラーメッセージをディスプレイ３０に表示させる（ステップＳ８）。その後、処理はステップＳ１に戻る。
【００３２】
一方、ジェスチャ認識部１５により認識されたユーザジェスチャがジェスチャ入力項目に該当すると入力項目判定部１６により判定された場合、制御部１７は、変換テーブル記憶部１３に格納されている変換テーブル情報を用いて、ジェスチャ入力項目から所定の座標情報を生成して携帯端末２０に送信する（ステップＳ９）。その後、処理はステップＳ１に戻る。これにより、車載機１０から送られた座標情報に基づいて携帯端末２０において所定の処理が実行され、それによって更新された地図画像と同じ地図画像がディスプレイ３０に表示されることとなる。
【００３３】
以上詳しく説明したように、本実施形態の車載機１０は、ジェスチャ認識用のジェスチャ入力項目を所定の座標情報に変換するための変換テーブル情報を格納した変換テーブル記憶部１３を備え、ジェスチャ認識部１５により認識されたユーザジェスチャがジェスチャ入力項目に該当する場合、変換テーブル情報を用いてジェスチャ入力項目から所定の座標情報を生成して携帯端末２０に送信するようにしている。
【００３４】
このように構成した本実施形態によれば、車載機１０において認識されたユーザジェスチャがジェスチャ入力項目に該当する場合、そのジェスチャ入力項目が所定の座標情報に変換されて携帯端末２０に送信されるので、携帯端末２０ではその座標情報をもとに、携帯端末２０のタッチパネル上でその座標情報に対応する位置が操作されたのと同様の処理を行うことが可能となる。これにより、車載機１０でのジェスチャ認識に基づいて携帯端末２０のタッチパネル上での操作を行うことができる。
【００３５】
なお、上記実施形態において、ユーザにより行われるジェスチャの速度（ジェスチャが行われた時間）に応じて、車載機１０から携帯端末２０に座標情報を送信する時間を制御するようにしてもよい。例えば、ジェスチャ認識部１５は、ユーザジェスチャの内容に加えて、当該ユーザジェスチャが行われた時間（ユーザジェスチャの開始から終了までの時間）も認識する。
【００３６】
そして、ジェスチャ認識部１５により認識されたユーザジェスチャがジェスチャ入力項目に該当すると入力項目判定部１６により判定された場合、制御部１７は、ジェスチャ認識部１５により認識された時間に応じた速度で座標情報を携帯端末２０に送信する。例えば、ユーザジェスチャが行われた時間と同じ時間（あるいは比例する時間）をかけて、座標情報を携帯端末２０に送信する。これにより、携帯端末２０では、座標情報が送られてくる時間に合わせた速度で地図画像のスクロール等の処理が実行され、車載機１０に表示される地図画像についてもそれと同じ速度でスクロール等が行われる。
【００３７】
また、上記実施形態において、制御部１７により生成する座標情報の開始位置を指定できるようにしてもよい。例えば、ジェスチャ認識部１５は、ユーザジェスチャの内容に加えて、当該ユーザジェスチャによってユーザの指が指示しているディスプレイ３０上の位置も認識する。そして、制御部１７は、ジェスチャ認識部１５により認識された位置を始点として、ジェスチャ入力項目の内容に応じた座標情報を生成して携帯端末２０に送信する。
【００３８】
また、上記実施形態では、携帯端末２０にインストールされている携帯アプリの例として地図アプリを挙げて説明したが、本発明を適用可能な携帯アプリは地図アプリに限定されない。すなわち、タッチパネルへのタッチ操作やなぞり操作に応じて所定の処理を実行する機能を有する携帯アプリであれば、何れも適用することが可能である。
【００３９】
また、上記実施形態では、フリック、ピンチ、ローテーションなどのなぞり操作に対応するユーザジェスチャに応じて所定の座標列を生成して車載機１０から携帯端末２０に送信し、これによって画像のスクロール、拡大・縮小、回転といった処理を実行する例について説明したが、本発明はこれに限定されない。例えば、１本指あるいは２本指によるタップ操作に対応するユーザジェスチャに応じて所定の座標点を生成して車載機１０から携帯端末２０に送信し、これによって所定の処理を実行する場合にも本発明を適用することが可能である。
【００４０】
また、上記実施形態では、電子機器の一例として車載機１０を挙げて説明したが、本発明を適用可能な電子機器は車載機１０に限定されない。すなわち、ミラーリンクまたはこれと同様の通信制御技術に対応した電子機器であれば何れにも適用することが可能である。
【００４１】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４２】
１０  車載機（電子機器）
１１  画像データ受信部
１２  画像表示制御部
１３  変換テーブル記憶部
１４  撮影画像入力部
１５  ジェスチャ認識部
１６  入力項目判定部
１７  制御部
２０  携帯端末
【図１】
2015041244.tif 000003
【図２】
2015041244.tif 000004
【図３】
2015041244.tif 000005
【図４】
2015041244.tif 000006